(57)【要約】      （修正有）【課題】各種イベントやショー等においては、スカートの裾の部分を発光又は点滅させることにより、見る人の注意や興味を十分に引くことができる電飾スカートを提供する。【解決手段】スカート本体２の内部周方向に沿わせて取外し可能に固定した環状部材３に多数のＬＥＤ４を取付け、各ＬＥＤ４と電気的に接続された電源装置５をスカート本体２の内部に取外し可能に固定し、電源装置のスイッチをオンしてＬＥＤ４を点灯又は点滅させることにより、スカート本体２の内部から、両足を囲むようにして下向きの光線を照射する。【選択図】図１
0003169711.tif 000002
【実用新案登録請求の範囲】
【請求項１】
スカート本体と、
前記スカート本体に対して周方向に沿わせることができるよう、このスカート本体の周囲径に合わせた直径を有するリング状に形成され、周方向に沿って多数の発光体が取付けられた環状部材と、
前記環状部材に取付けた各発光体と電気的に接続され、この発光体を点灯させるための電源装置とからなり、
前記スカート本体に対して環状部材と電源装置を、それぞれ係止具を用いて取外し可能に固定するようにした電飾スカート。
【請求項２】
上記環状部材に取付けた発光体にＬＥＤを用い、このＬＥＤが環状部材の下縁から下向きに突出する配置で環状部材に取付けられ、上記電源装置は、ＬＥＤの点灯、点滅、消灯の切り換えができるようになっている請求項１に記載の電飾スカート。
【考案の詳細な説明】
【技術分野】
【０００１】
この考案は、各種イベントやショー、宣伝等で着用する電飾スカートに関する。
【背景技術】
【０００２】
例えば、各種イベントやショー等においては、来場者や観客に対して視覚的にアピールして注意や興味を引くことが重要であり、このような目的のため、従来、イベントやショーに携わる人に着用させる上着の適所に発光体を取付け、これを点灯若しくは点滅させるようにしたものが提案されている（例えば、特許文献１と２参照）。
【先行技術文献】
【特許文献】
【０００３】
【特許文献１】実用新案登録第３０６１７７８号公報
【特許文献２】実用新案登録第３０８０３３２号公報
【考案の概要】
【考案が解決しようとする課題】
【０００４】
ところで、上記のような電飾上着は、例えば、交通安全服のように発光体により光る上着の類似物が世間に多く存在し、来場者や観客はこれを普通に見慣れているため、電飾上着は注意や興味を引く度合いが少ないという問題があり、足元にまで注意を払っていないのが現状である。
【０００５】
また、上着の適所に発光体を縫い付けた構造になっているので、上着のクリーニング時に発光体が邪魔になり、その取り外し及び再度の取り付けに多くの時間と手間がかかるという問題がある。
【０００６】
そこで、この考案の課題は、各種イベントやショー等においては、来場者や観客に対して視覚的にアピールするために、女性が着用するスカートに着目し、このスカートの裾の部分を発光又は点滅させることにより、足元に対して見る人の注意や興味を十分に引くことができるようにすると共に、スカート本体のクリーニングが手間をかけずに行える電飾スカートを提供することにある。
【課題を解決するための手段】
【０００７】
上記の課題を解決するため、この考案は、スカート本体と、前記スカート本体に対して周方向に沿わせることができるよう、このスカート本体の周囲径に合わせた直径を有するリング状に形成され、周方向に沿って多数の発光体が取付けられた環状部材と、前記環状部材に取付けた各発光体と電気的に接続され、この発光体を点灯させるための電源装置とからなり、前記スカート本体に対して環状部材と電源装置を、それぞれ係止具を用いて取外し可能に固定するようにしたものである。
【０００８】
上記環状部材に取付けた発光体にＬＥＤを用い、このＬＥＤが環状部材の下縁から下向きに突出する配置で環状部材に取付けられ、上記電源装置は、ＬＥＤの点灯、点滅、消灯の切り換えができるようにすることができる。
【０００９】
ここで、環状部材は、二枚の帯状布地を重ねるように用いてリング状に縫製し、ＬＥＤのリード線を二枚の帯状布地間に納めることにより、ＬＥＤ本体を環状部材の下縁から下向きに突出させている。
【００１０】
この環状部材は、例えば、スカート本体の裾の部分における内径に合わせた直径になるように形成され、スカート本体の裾の部分の内面と環状部材の外面の複数箇所に、係止具である一対のホックを設けておき、環状部材をリング状にしてスカート本体の裾の部分の内面にホックで取付け、スカート本体の着用時にＬＥＤを点灯又は点滅させれば、スカート本体の裾の部分から、両足を囲むようにして下向きの光線が照射されることになる。
【考案の効果】
【００１１】
この考案によると、周方向に沿って多数の発光体が取付けられた環状部材をスカート本体に対して取り付けることにより、発光体の点灯又は点滅によってスカート本体の裾の部分から、両足を囲むようにして下向きの光線を照射することができ、この輪になった光線がスカート本体の振れや足の屈伸等によって揺れ動くことで、足元に対して見る人の注意や興味、好奇心を十分に引くことが可能となり、女性の足を囲む光の輪が揺れ動いたり点滅するという斬新な視覚効果によって、各種イベントやショー、宣伝等において十分に目的を達成することができる。
【００１２】
また、スカート本体に対して環状部材と電源装置を着脱自在としたので、環状部材と電源装置を取外すことでスカート本体のクリーニングが支障なく行え、しかも、係止具の係脱だけでよいので、環状部材と電源装置の取付け、取外し作業が簡単に行える。
【図面の簡単な説明】
【００１３】
【図１】この考案に係る電飾スカートの着用状態を示す斜視図
【図２】環状部材と電源装置を示す斜視図
【図３】この考案に係る電飾スカートにおけるスカート本体への環状部材と電源装置の取付け部分の構造を示す拡大した縦断面図
【考案を実施するための形態】
【００１４】
以下、この考案の実施の形態を図示例に基づいて説明する。
【００１５】
図示のように、この考案の電飾スカート１は、スカート本体２と、このスカート本体２の内部に対して周方向に沿わせるように取付ける環状部材３と、前記環状部材３に取付けた多数の発光体であるＬＥＤ４と、このＬＥＤ４を点灯させるための電源装置５とで形成され、前記スカート本体２に対して環状部材３と電源装置５は、一対の係止具６を用いて着脱自在に固定され、それぞれ取外し可能になっている。
【００１６】
上記スカート本体２の材質や色柄、形状、丈の長さや直径のような大きさ等は、イベントやショー、宣伝等の使用目的や着用する人に応じたものを選択すればよく、例えば、光の効果を有効に発揮するには、図１に示したように上下の丈が短いミニスカートを採用するのが好ましい。
【００１７】
上記環状部材３は、図２と図３の場合、二枚の帯状布地３ａを重ねて用い、スカート本体２の内部における周囲径に合わせた直径を有するリング状に縫製することによって形成され、この環状部材３の下縁に多数のＬＥＤ４が周方向に沿って一定間隔の配置で取付けられている。
【００１８】
この環状部材３は、スカート本体２の内部に対して周方向に沿うよう取付けるものであり、従って、その直径はスカート本体２の大きさや取付け位置に応じて設定され、スカート本体２の着用時に環状部材３が何ら邪魔にならないようになっており、図示の場合、スカート本体２の内部で裾の部分に取付けた例を示したが、取付け位置は、スカート本体２の内部であれば上下位置を任意に設定することができる。
【００１９】
上記発光体であるＬＥＤ４（発光ダイオード）は、図３のように、チューブ７を被せたリード線４ａを二枚の帯状布地３ａ間に納めて縫い込み、ＬＥＤ本体４ｂを環状部材３の下縁から下向きに突出させた取付け構造になっている。
【００２０】
上記電源装置５は、硬質のケース内に電源となる取換え可能な電池と回路基板を組み込み、硬質のケースを袋体８内に出し入れ可能となるよう納めた構造を有し、この電源装置５は、所定長さを有する接続線９によって環状部材３に設けた各ＬＥＤ４と電気的に接続され、硬質のケースの外部に突出するよう設けたスイッチ１０の操作によって、ＬＥＤ４の点灯、点滅、消灯等を行うことができるようになっている。
【００２１】
なお、発光体は、図示の発光ダイオード以外に光ファイバーやＬＥＤ電球等を採用することができ、また、電源装置５は、これら発光体の点滅間隔を可変としたり、発光色を変化させることができるようにしてもよい。
【００２２】
上記スカート本体２に対して環状部材３と電源装置５を、それぞれ取外し可能に固定するための係止具６は、オスとメスの組み合わせからなる一対の金属製ホックや、フックとループの組み合わせからなる一対の面ファスナー等を用いることができ、環状部材３の取付けにおいては、スカート本体２の内周面で周方向の複数箇所に係止具６の一方を縫着し、環状部材３の外周面で周方向の複数箇所に係止具６の他方を縫着し、これら係止具６を係合させることによって、スカート本体２の内周に環状部材３を着脱可能に固定する。
【００２３】
また、電源装置５においては、スカート本体２の内周面で上部寄りの腰に該当する位置に上記したものと同様の係止具６における一方を縫着し、袋体８の外面に係止具６の他方を縫着し、これら係止具６を係合させることによって、スカート本体２の内周に電源装置５を着脱可能に固定する。
【００２４】
この考案の電飾スカート１は、上記のような構成であり、スカート本体２の内周面に環状部材３を、その下縁に設けたＬＥＤ４が下向きの配置になるよう周方向に沿って固定し、更に、スカート本体２の内部で環状部材３よりも上部の位置に電源装置５を袋体８を介して固定し、各種イベントやショー、宣伝等において、この電飾スカート１を着用した状態で、電源装置５のスイッチ１０をスカート本体２の外部からオンにすると、各ＬＥＤ４が点灯若しくは点滅する。
【００２５】
上記のように、各ＬＥＤ４の点灯又は点滅することにより、図１に示すように、スカート本体２の内部から、両足を囲むようにして下向きの光線を照射することができ、この輪になった光線がスカート本体２の振れや足の屈伸等によって揺れ動くことで、見る人の注意や興味、好奇心を十分に引くことが可能となり、女性の足を光の輪で囲んで美しく見せ、この光の輪が揺れ動いたり点滅するという斬新な視覚効果によって、各種イベントやショー、宣伝等において十分に目的を達成することができることになる。
【００２６】
上記環状部材３と電源装置５は、スカート本体２の内部に固定されているので、スカート本体２の外部からはこれらが見えることがなく、スカート本体２の見た目を低下させることがないと共に、環状部材３は、スカート本体２の内周に沿うリング状であるので、スカート本体２の着用及び着用状態での動きに全く支障を与えるようなことがなく、ＬＥＤ４によってスカート本体２の内周から下向きとなる光を輪状の配置で照射できる。
【００２７】
また、環状部材３と電源装置５は、係止具６を外すことにより簡単にスカート本体２から取外すことができ、このため、スカート本体２のクリーニングが支障なく行える。
【００２８】
なお、スカート本体２の内部から下向きに照射する光線の光量を多くしたり強くしたい場合や、多色の光線の組み合わせにするため、スカート本体２の内部で上下の複数箇所に環状部材３を取付けるようにすることもできる。
【符号の説明】
【００２９】
１          電飾スカート
２          スカート本体
３          環状部材
４          ＬＥＤ
５          電源装置
６          係止具
７          チューブ
８          袋体
９          接続線
１０        スイッチ
【図１】
0003169711.tif 000003
【図２】
0003169711.tif 000004
【図３】
0003169711.tif 000005